(57)【要約】【課題】本発明は、排水管継手の支持機構の強度を向上させて、排水管継手を堅固に支持できるようにすることを目的とする。【解決手段】本発明に係る排水管継手の支持機構５０は、上部受け口２２を備える上胴体２１ａと、側面に横枝管受け口２５、下部に配管接続部２７が形成されている下胴体２１ｂと、その下胴体２１ｂと上胴体２１ａとを水密な状態で連結するフランジ部４１，４２とからなる排水管継手を支持するための支持機構であって、コンクリートスラブＣＳの表面に固定される固定部５３と、その固定部５３に対して水平方向に張り出すように形成された張り出し部とを備える支持金具５２と、高さ方向に変位可能な構造で支持金具５２の張り出し部の先端に装着されており、排水管継手２０のフランジ部４１，４２におけるボルトと下方から嵌合した状態で、フランジ部４１，４２を支えるフランジ支持部材６０とを有する。【選択図】図１
2009030229.tif 000002
【特許請求の範囲】
【請求項１】
上部受け口を備える上胴体と、側面に横枝管受け口、下部に配管接続部が形成されている下胴体と、その下胴体と前記上胴体とを水密な状態で連結するフランジ部とからなる排水管継手を支持するための排水管継手の支持機構であって、
集合住宅の上階と下階とを仕切るコンクリートスラブの表面に固定される固定部と、その固定部に対して水平方向に張り出すように形成された張り出し部とを備える支持金具と、
高さ方向に変位可能な構造で前記支持金具の張り出し部の先端に装着されており、前記排水管継手のフランジ部における連結用のボルトと下方から嵌合した状態で、前記フランジ部を下方から支えるフランジ支持部材と、
を有することを特徴とする排水管継手の支持機構。
【請求項２】
請求項１に記載された排水管継手の支持機構であって、
前記支持金具は、側面Ｌ字形に形成された固定部と、その固定部の上端から水平に張り出した張り出し部とにより、側面略Ｚ字形に形成されていることを特徴とする排水管継手の支持機構。
【請求項３】
請求項１又は請求項２のいずれかに記載された排水管継手の支持機構であって、
前記フランジ支持部材は、前記フランジ部のボルトと嵌合する嵌合穴と、その嵌合穴の周縁で前記フランジ部を下方から支える支持部と、前記嵌合穴と同軸に形成された軸部と、その軸部の外周面に形成された雄ネジとを備え、
前記支持金具は、張り出し部の先端に縦方向に形成された雌ネジ孔を備えており、
前記フランジ支持部材の雄ネジと前記支持金具の雌ネジ孔とが螺合することにより、前記フランジ支持部材が高さ方向に変位することを特徴とする排水管継手の支持機構。
【請求項４】
請求項１から請求項３のいずれかに記載された排水管継手の支持機構であって、
前記支持金具の固定部と前記コンクリートスラブとの間に防振ゴムが挟持されており、
前記固定部は、水平方向に位置調整可能な状態で前記コンクリートスラブに固定されていることを特徴とする排水管継手の支持機構。
【請求項５】
請求項１から請求項４のいずれかに記載された排水管継手の支持機構であって、
前記フランジ部のボルトと前記フランジ支持部材とはゴムブッシュを介して嵌合する構成であることを特徴とする排水管継手の支持機構。
【発明の詳細な説明】
【技術分野】
【０００１】
本発明は、上部受け口を備える上胴体と、側面に横枝管受け口、下部に配管接続部が形成されている下胴体と、その下胴体と前記上胴体とを水密な状態で連結するフランジ部とからなる排水管継手を支持するための排水管継手の支持機構に関する。
【背景技術】
【０００２】
排水管継手の支持機構に関する技術が特許文献１に記載されている。
前記排水管継手１００は、図４に示すように、コンクリートスラブＣＳの貫通孔ＣＨに通される筒状の胴部１０１を備えており、その胴部１０１の上端に上階の排水立て管２が挿入接続される上部受け口１０２が形成されている。また、胴部１０１の上部側面には、上階の排水横枝管４が挿入接続される横枝管受け口１０３が形成されており、その胴部１０１の下端部に下階の排水立て管２が接続される配管接続部１０５が設けられている。
上記排水管継手１００は、当て板支持具１１０、及び一対の立設された調整ネジ具１１４によりコンクリートスラブＣＳ（貫通孔ＣＨの埋め戻しモルタルＭ）上で支持されている。当て板支持具１１０は、排水管継手１００の上部受け口１０２を半径方向外側から締め付けることで、その上部受け口１０２に取り付けられる金具であり、その金具の水平方向両端位置にナット１１１が縦向きに固定されている。そして、前記ナット１１１に調整ネジ具１１４の雄ネジが螺合される。この構成により、調整ネジ具１１４の雄ネジとナット１１１との螺合作用により、当て板支持具１１０の高さを調整した状態で、その当て板支持具１１０を排水管継手１００の上部受け口１０２に取り付けることができる。
【０００３】
【特許文献１】特開２０００−１９３１４８号公報
【発明の開示】
【発明が解決しようとする課題】
【０００４】
上記した排水管継手１００の支持機構では、当て板支持具１１０を排水管継手１００の上部受け口１０２に取り付けた状態で、一対の調整ネジ１１４によりその当て板支持具１１０を支える構成である。このため、図４に示すように、コンクリートスラブＣＳの上面から上部受け口１０２までの高さ寸法が大きな排水管継手１００の場合、調整ネジ１１４の長さ寸法が大きくなって、排水管継手１００の支持強度が低下する。
また、埋め戻しモルタルＭを避けて調整ネジ１１４をコンクリートスラブＣＳの上面に立設させるのが強度的に好ましいが、このようにすると、当て板支持具１１０のナット１１１の部分を調整ネジ１１４の位置まで水平に張り出す必要があるため、当て板支持具１１０が水平方向に長くなって強度が低下する。
【０００５】
本発明は、上記問題点を解決するためになされたものであり、本発明の技術的課題は、  排水管継手の支持機構の強度を向上させて、排水管継手を堅固に支持できるようにすることである。
【課題を解決するための手段】
【０００６】
上記した課題は、各請求項の発明によって解決される。
請求項１の発明は、上部受け口を備える上胴体と、側面に横枝管受け口、下部に配管接続部が形成されている下胴体と、その下胴体と前記上胴体とを水密な状態で連結するフランジ部とからなる排水管継手を支持するための排水管継手の支持機構であって、集合住宅の上階と下階とを仕切るコンクリートスラブの表面に固定される固定部と、その固定部に対して水平方向に張り出すように形成された張り出し部とを備える支持金具と、高さ方向に変位可能な構造で前記支持金具の張り出し部の先端に装着されており、前記排水管継手のフランジ部における連結用のボルトと下方から嵌合した状態で、前記フランジ部を下方から支えるフランジ支持部材とを有することを特徴とする。
【０００７】
本発明によると、支持金具の固定部はコンクリートスラブの表面に固定される構成のため、例えば、排水管継手の下胴体を通す貫通孔の埋め戻しモルタル等に支持金具を固定する場合と比較して強度が向上する。さらに、支持金具とフランジ支持部材とにより排水管継手のフランジ部を下方から支える構成のため、従来のように、排水管継手の上部受け口を下方から支える構成と比較して、コンクリートスラブの表面からフランジ支持部材の上端までの高さ寸法を小さくできる。
このため、支持金具、フランジ支持部材の強度を高めるのが容易になり、排水管継手を堅固に支持できるようになる。
【０００８】
請求項２の発明によると、支持金具は、側面Ｌ字形に形成された固定部と、その固定部の上端から水平に張り出した張り出し部とにより、側面略Ｚ字形に形成されていることを特徴とする。
請求項３の発明によると、フランジ支持部材は、フランジ部のボルトと嵌合する嵌合穴と、その嵌合穴の周縁で前記フランジ部を下方から支える支持部と、前記嵌合穴と同軸に形成された軸部と、その軸部の外周面に形成された雄ネジとを備え、前記支持金具は、張り出し部の先端に縦方向に形成された雌ネジ孔を備えており、前記フランジ支持部材の雄ネジと前記支持金具の雌ネジ孔とが螺合することにより、前記フランジ支持部材が高さ方向に変位することを特徴とする。
このため、フランジ支持部材の高さ方向の位置調整が容易になる。
【０００９】
請求項４の発明によると、支持金具の固定部と前記コンクリートスラブとの間に防振ゴムが挟持されており、前記固定部は、水平方向に位置調整可能な状態で前記コンクリートスラブに固定されていることを特徴とする。
このため、排水が流下する際の排水管継手の振動がフランジ支持部材、支持金具を介してコンクリートスラブに伝わり難くなり、前記振動が集合住宅の住居部（専用部）に伝播するような不具合が生じない。また、支持金具の水平方向における位置調整が可能なため、支持金具の取り付け位置の自由度が増し、かつ、取り付けが容易になる。
請求項５の発明によると、前記フランジ部のボルトと前記フランジ支持部材とはゴムブッシュを介して嵌合する構成であることを特徴とする。
このため、排水管継手の振動がフランジ支持部材から支持金具に伝わり難くなる。
【発明の効果】
【００１０】
本発明によると、排水管継手の支持機構の強度が向上し、排水管継手を堅固に支持できるようになる。
【発明を実施するための最良の形態】
【００１１】
［実施形態１］
以下、図１〜図３に基づいて本発明の実施形態１に係る排水管継手の支持機構の説明を行なう。本実施形態に係る排水管継手はマンション等の集合住宅における排水設備で使用される管継手であり、図１にその排水管継手及びその支持機構を表す側面図、平面図が示されている。また、図２、図3は前記排水管継手の支持機構を表す拡大側面図である。
【００１２】
＜排水管継手２０について＞
排水管継手２０の支持機構について説明する前に、排水管継手２０について簡単に説明する。
排水管継手２０は、図１に示すように、上階の排水立て管３０及び排水横枝管４０により導かれた排水を合流させて下階の排水立て管３０に流入させる継手であり、その排水管継手２０の胴部２１がコンクリートスラブＣＳの貫通孔ＣＨに通されている。前記貫通孔ＣＨには、防振吸音部材であるロックウールＷ等が充填されており、そのロックウールＷの上側で、貫通孔ＣＨの開口部分に埋め戻しモルタルＭｒが充填されている。
排水管継手２０の胴部２１は上下分割式であり、上胴体２１ａと下胴体２１ｂとから構成されている。そして、上胴体２１ａの下部フランジ４１と下胴体２１ｂの上部フランジ４２とがパッキン４３（図２等参照）を介して水密な状態で同軸に接続されている。
胴部２１の上胴体２１ａの上端部には、排水立て管３０の内管３１の下端挿し口３１ｓ（下端部）が挿入接続される上部受け口２２が形成されている。そして、上部受け口２２の内側には、排水立て管３０の下端部と上部受け口２２間を水密な状態でシールする略筒状のシール材（図示省略）が嵌め込まれている。また、上胴体２１ａには、上部受け口２２と下部フランジ４１との間に拡径された円筒部２１ｅが形成されている。
胴部２１の下胴体２１ｂの上側面には、上部フランジ４２の下側に各階の衛生器具（台所流し台、トイレ等）からの排水横枝管４０が接続される複数の横枝管受け口２５が形成されている。なお、横枝管受け口２５にもゴム製のシール材（図示省略）が装着されている。
また、胴部２１の下胴体２１ｂの下端部、即ち、コンクリートスラブＣＳの貫通孔ＣＨから下方に突出する部分には下階の排水立て管３０の上部受け口３５に挿入接続される下端直管部２７が形成されている。
即ち、前記下部フランジ４１、上部フランジ４２が本発明のフランジ部に相当し、前記下端直管部２７が本発明の配管接続部に相当する。
【００１３】
＜排水管継手２０の支持機構５０について＞
排水管継手２０は、図１（ｂ）に示すように、左右一対の支持機構５０（図１（ａ）には右側の支持機構５０のみが記載）により下方から支えられている。
支持機構５０は、コンクリートスラブＣＳの上面に固定されるＺ字形金具５２と、Ｚ字形金具５２の先端で排水管継手２０のフランジ４１，４２を下方から支えるフランジ支持部材６０とから構成されている。
Ｚ字形金具５２は、図２（ａ）、図３（ａ）に示すように、横平板５３ｆと縦平板５３ｓとにより側面Ｌ字形に形成された固定部５３と、その固定部５３の上端から横平板５３ｆと反対側に水平に張り出した張り出し部５４とにより、側面略Ｚ字形に形成されている。固定部５３は、Ｚ字形金具５２をコンクリートスラブＣＳの上面に固定する部分であり、その固定部５３の横平板５３ｆの先端側にホールインアンカーボルトＨＢが通される長孔状のボルト孔５３ｈが形成されている（図２（ｂ）、図３（ｂ）参照）。また、横平板５３ｆの上面と縦平板５３ｓの側面とは直角三角形状のリブ５５によって連結されている。
張り出し部５４は、フランジ支持部６０を支える部分であり、図２（ｂ）に示すように、固定部５３と等しい幅寸法で形成されて、その先端部分に貫通孔が形成されている。そして、貫通孔の内壁面に、後記するフランジ支持部材６０の雄ネジ６６ｗが螺合する雌ネジ５４ｗ（以下、この部分を雌ネジ孔５４ｗという）が形成されている。
Ｚ字形金具５２は、横平板５３ｆとコンクリートスラブＣＳの上面との間に防振ゴム６９を挟んだ状態で、ホールインアンカーボルトＨＢによりコンクリートスラブＣＳに固定される。ここで、防振ゴム６９には、ホールインアンカーボルトＨＢが通される円筒突起６９ｅがＺ字形金具５２のボルト孔５３ｈに対応する位置に形成されており、この円筒突起６９ｅがＺ字形金具５２のボルト孔５３ｈに通されることで、ホールインアンカーボルトＨＢとＺ字形金具５２との接触を避けることができる。
なお、横平板５３ｆとコンクリートスラブＣＳの上面との間に挟まれる防振ゴム６９と、その防振ゴム６９の円筒突起６９ｅとを別体にすることも可能である。
【００１４】
フランジ支持部材６０は、Ｚ字形金具５２の先端部で排水管継手２０のフランジ４１，４２を下方から支える部材であり、有低円筒形の筒状部６４と、その筒状部６４の下側で同軸に固定された軸部６６とから構成されている。筒状部６４は、排水管継手２０のフランジ４１，４２の連結用ボルトＢｒが挿入される嵌合穴６４ｈを備えており、その嵌合穴６４ｈの周縁（筒状部６４の上端）にフランジ４１，４２の連結用ナットＮｔを支持するリング状の支持部６４ｅが形成されている。そして、筒状部６４の嵌合穴６４ｈの内周面と支持部６４ｅとがゴムブッシュ６８によって覆われている。ゴムブッシュ６８は、連結用ボルトＢｒのねじ山を保護するとともに、排水管継手２０の振動を吸収する働きをする。
軸部６６は、段差部６５を介して筒状部６４と同軸に形成されており、その軸部６６の外周面にはＺ字形金具５２の雌ネジ孔５４ｗと螺合する雄ネジ６６ｗが形成されている。このため、フランジ支持部材６０の軸部６６の雄ネジ６６ｗをＺ字形金具５２の雌ネジ孔５４ｗと螺合させながら、Ｚ字形金具５２に対するフランジ支持部材６０の高さ位置を調整することが可能になる。ここで、筒状部６４の外周面には、スパナ等を嵌合させてその筒状部６４及び雄ネジ６６ｗを回し易くするために、中心を挟んで対向する平坦面を形成するのが好ましい。また、筒状部６４の外周面を四角柱、六角柱、八角柱等に形成することも可能である。
さらに、フランジ支持部材６０の雄ネジ６６ｗには、フランジ支持部材６０をＺ字形金具５２に固定するための固定ナットＮｃが螺合されている。
即ち、前記Ｚ字形金具５２が本発明の支持金具に相当する。
【００１５】
＜排水管継手２０の支持機構５０の使用手順について＞
図１に示すように、左右一対の支持機構５０（図３では右側の支持機構５０のみ表示）は、排水管継手２０が設置される前にコンクリートスラブＣＳの上面に固定される。
先ず、コンクリートスラブＣＳの上面の所定位置にホールインアンカーボルトＨＢのナット部ＨＮが固定される。次に、Ｚ字形金具５２のボルト孔５３ｈに防振ゴム６９の円筒突起６９ｅ、ホールインアンカーボルトＨＢが通された状態で、そのホールインアンカーボルトＨＢが前記ナット部ＨＮに螺合され、Ｚ字形金具５２及び防振ゴム６９がコンクリートスラブＣＳの上面に固定される。次に、フランジ支持部材６０の雄ネジ６６ｗがＺ字形金具５２の雌ネジ孔５４ｗに螺合されて、フランジ支持部材６０がＺ字形金具５２に連結される。ここで、Ｚ字形金具５２のボルト孔５３ｈは長孔状に形成されているため、そのＺ字形金具５２を固定する際に水平方向の位置調整が可能になる。
なお、フランジ支持部材６０をＺ字形金具５２に連結した後で、Ｚ字形金具５２をコンクリートスラブＣＳの上面に固定することも可能である。
このようにして、左右一対の支持機構５０がコンクリートスラブＣＳの上面に固定されると、次に排水管継手２０が設置される。
排水管継手２０を設置する場合には、その排水管継手２０のフランジ４１，４２の連結用ボルトＢｒを対応するフランジ支持部材６０の筒状部６４の嵌合穴６４ｈに挿入する。次に、この状態からフランジ支持部材６０の雄ネジ６６ｗをＺ字形金具５２の雌ネジ孔５４ｗと螺合させながらフランジ支持部材６０を上昇させて、フランジ支持部材６０のリング状の支持部６４ｅでフランジ４１，４２の連結用ナットＮｔの部分を支持する。次に、固定ナットＮｃでフランジ支持部材６０の雄ネジ６６ｗを締め付けて、フランジ支持部材６０をＺ字形金具５２に固定する。これにより、支持機構５０（フランジ支持部材６０、Ｚ字形金具５２）で排水管継手２０を堅固に支持できるようになる。
また、排水管継手２０を設置する前に、フランジ支持部材６０の嵌合穴６４ｈに装着されたゴムブッシュ６８の弾性力を利用してそのフランジ支持部材６０及びＺ字形金具５２を予めその排水管継手２０のフランジ４１，４２の連結用ボルトＢｒに保持しておくことも可能である。
【００１６】
＜本実施形態に係る排水管継手２０の支持機構５０の長所について＞
本実施形態に係る排水管継手２０の支持機構５０によると、Ｚ字形金具５２の固定部５３はコンクリートスラブＣＳの表面に固定される構成のため、例えば、排水管継手２０の下胴体２１を通す貫通孔ＣＨの埋め戻しモルタルＭｒ等にＺ字形金具５２を固定する場合と比較して強度が向上する。さらに、Ｚ字形金具５２とフランジ支持部材６０とにより排水管継手２０のフランジ部４１，４２を下方から支える構成のため、従来のように、排水管継手２０の上部受け口２２を下方から支える構成と比較して、コンクリートスラブＣＳの表面からフランジ支持部材６０の上端までの高さ寸法を小さくできる。
このため、Ｚ字形金具５２、フランジ支持部材６０の強度を高めるのが容易になり、排水管継手２０を堅固に支持できるようになる。
また、フランジ支持部材６０の雄ネジ６６ｗとＺ字形金具５２の雌ネジ孔５４ｗとを螺合させることにより、フランジ支持部材６０を高さ方向に変位させる方式のため、フランジ支持部材６０の高さ方向の位置調整が容易になる。
また、Ｚ字形金具５２とコンクリートスラブＣＳとの間に防振ゴム６９が挟持されるため、排水が流下する際の排水管継手２０の振動がフランジ支持部材６０、Ｚ字形金具５２を介してコンクリートスラブＣＳに伝わり難くなり、前記振動が集合住宅の住居部（専用部）に伝播するような不具合が生じない。さらに、Ｚ字形金具５２のボルト孔５３ｈは長孔状に形成されているため、そのＺ字形金具５２を固定する際に水平方向の位置調整が可能になる。
また、排水管継手２０のフランジ部４１，４２の連結用ボルトＢｒとフランジ支持部材６０とはゴムブッシュ６８を介して嵌合する構成であるため、排水管継手２０の振動がフランジ支持部材６０からＺ字形金具５２に伝わり難くなる。
【００１７】
＜変更例＞
ここで、本発明は上記実施形態に限定されるものではなく、本発明の要旨を逸脱しない範囲における変更が可能である。例えば、本実施形態では、コンクリートスラブＣＳの貫通孔ＣＨに胴部２１を通すタイプの排水管継手２０を支持する支持機構５０について説明した。しかし、本実施形態に係る支持機構５０によって、コンクリートスラブＣＳの上面で排水立て管３０と接続されるタイプの排水管継手を支持することも可能である。
また、本実施形態に係る排水管継手２０の支持機構５０では、Ｚ字形金具５２をホールインアンカーボルトＨＢでコンクリートスラブＣＳに固定する例を示したが、ホールインアンカーボルトＨＢの代わりにアンカーボルトを使用することも可能である。
また、本実施形態では、排水管継手２０のフランジ４１，４２の連結用ボルトＢｒをフランジ支持部材６０の筒状部６４に挿入した状態で、そのフランジ支持部材６０のリング状の支持部６４ｅにより連結用ナットＮｔを介してフランジ４１，４２を支持する例を示した。しかし、フランジ支持部材６０のリング状の支持部６４ｅを大径化して、その支持部６４ｅにより直接的にフランジ４１，４２を支持する構成でも可能である。
また、本実施形態では、フランジ支持部材６０の筒状部６４の上端に支持部６４ｅを形成する例を示したが、前記支持部６４ｅを筒状部６４と横並びに形成することも可能である。
【図面の簡単な説明】
【００１８】
【図１】本発明の実施形態１に係る排水管継手の支持機構を表す全体側面図（ａ図）、及び平面図（ｂ図）である。
【図２】前記排水管継手の支持機構を表す拡大側面図（ａ図）、Ｚ字形金具の平面図（ｂ図）である。
【図３】前記排水管継手の支持機構を表す拡大側面図（ａ図）、Ｚ字形金具の固定状態を表す斜視図（ｂ図）である。
【図４】従来の排水管継手の支持機構を表す全体側面図である。
【符号の説明】
【００１９】
ＣＳ・・・・コンクリートスラブ
ＣＨ・・・・貫通孔
Ｍｒ・・・・モルタル
２０・・・・排水管継手
２１ａ・・・上胴体
２１ｂ・・・下胴体
２２・・・・上部受け口
２５・・・・横枝管受け口
２７・・・・下端直管部（配管接続部）
４１・・・・下部フランジ（フランジ部）
４２・・・・上部フランジ（フランジ部）
５０・・・・支持機構
５２・・・・Ｚ字形金具
５３・・・・固定部
５４・・・・張り出し部
５４ｗ・・・雌ネジ孔
６０・・・・フランジ支持部材
６４・・・・筒状部
６４ｈ・・・嵌合穴
６４ｅ・・・支持部
６６・・・・軸部
６６ｗ・・・雄ネジ
６８・・・・ゴムブッシュ
６９・・・・防振ゴム
【図１】
2009030229.tif 000003
【図２】
2009030229.tif 000004
【図３】
2009030229.tif 000005
【図４】
2009030229.tif 000006